(57)【特許請求の範囲】
【請求項１】
ケースに形成された複数のスイッチ取付部と、該複数のスイッチ取付部に形成された開口部の開口縁に形成された環状のリブと、外歯側に位置する前記スイッチ取付部に形成された環状のリブの外周に、前記ケース外面から外側に向かって、パッキンの鍔部を環状のリブに対向する位置に導くために、前記環状のリブを囲繞するように突出形成されたリブと、前記複数のスイッチ取付部の開口部を覆うように装着され、前記環状のリブが挿入される鍔部を形成したパッキンと、前記複数のスイッチ取付部の開口部にパッキンを介して装着されるスイッチ操作体と、前記複数のスイッチ取付部を覆い、裏面が前記リブに当接する飾り板と、該飾り板に形成され、前記外歯側に位置する環状のリブを囲繞するように突出形成されたスイッチ取付部のリブに形成した突起に係合して飾り板を位置決めする切欠と、前記飾り板を覆い、前記ケースに固定されるケースカバーとを備えたことを特徴とする電気かみそり。
【請求項２】
前記操作体を覆って操作体の浮き上がりを阻止する操作体押さえを設け、該操作体押さえと前記リブが前記飾り板裏面に当接する高さに形成されていることを特徴とする請求項１記載の電気かみそり。
【発明の詳細な説明】
【技術分野】
【０００１】
本発明は、防水構造を有する電気かみそりに関する。
【背景技術】
【０００２】
この種電気かみそりにおいては、水洗いして簡単にひげ屑を除去したり、シェービングクリーム等を使用してひげ剃りできるなどの特徴を有しており、ケース内に水が侵入しないように、ケースを防水構造とする必要がある。
【０００３】
ケースにはスイッチが取り付けられるが、ケースを防水構造とするため、スイッチを操作する操作体はケースに防水ゴムを挟んで取り付けられる（例えば、特許文献１参照）。
【０００４】
その構成を詳述すると、ケース内に、ケースに形成した開口にスイッチを臨ませて回路基板を配設し、ケース開口に変位可能なダイヤフラム状のパッキンを水密に装着し、さらにその外側にスイッチの操作体を配置している。その水密構成としては、開口縁に、ケース外面より少許低い環状のリブを形成し、パッキンの鍔部に環状のリブを挿入することで水密とし、パッキンをケースに装着した状態で、パッキン外周表面がケース外面と同一高さになるように構成され、ケース外面にケースカバーを装着することにより、パッキン外周を押さえるようになっている。
【特許文献１】特開2001-334076
【発明の開示】
【発明が解決しようとする課題】
【０００５】
しかしながら、パッキンをケースに装着する際、パッキンの鍔部がケース外周あるいは環状のリブに乗り上げて完全に装着されない状態で、ケースカバーが装着される組立不良が生じるおそれがあり、防水が不完全になるおそれがあった。
【０００６】
本発明は、このような課題を解決するためになされたものであり、パッキンの装着不良を防止して防水不良を防止することのできる電気かみそりを提供することを課題とする。
【課題を解決するための手段】
【０００７】
本発明の電気かみそりは、ケースに形成された複数のスイッチ取付部と、該複数のスイッチ取付部に形成された開口部の開口縁に形成された環状のリブと、外歯側に位置する前記スイッチ取付部に形成された環状のリブの外周に、前記ケース外面から外側に向かって、パッキンの鍔部を環状のリブに対向する位置に導くために、前記環状のリブを囲繞するように突出形成されたリブと、前記複数のスイッチ取付部の開口部を覆うように装着され、前記環状のリブが挿入される鍔部を形成したパッキンと、前記複数のスイッチ取付部の開口部にパッキンを介して装着されるスイッチ操作体と、前記複数のスイッチ取付部を覆い、裏面が前記リブに当接する飾り板と、該飾り板に形成され、前記外歯側に位置する環状のリブを囲繞するように突出形成されたスイッチ取付部のリブに形成した突起に係合して飾り板を位置決めする切欠と、前記飾り板を覆い、前記ケースに固定されるケースカバーとを備えたことを特徴とする。
【００１０】
前記操作体を覆って操作体の浮き上がりを阻止する操作体押さえを設け、該操作体押さえと前記リブが前記飾り板裏面に当接する高さに形成されていることが好ましい。
【発明の効果】
【００１１】
本発明によれば、パッキンの装着不良を防止することができ、組立不良による防水不良を防止することができる等の効果を奏する。
【発明を実施するための最良の形態】
【００１２】
本発明の実施の形態を図面に基づいて以下に詳述する。以下に示す実施の形態は、本発明の技術思想を具体化するための電気かみそりを例示するものであって、本発明を以下に示す実施の形態の電気かみそりに特定するものではない。
【００１３】
１は下面を開放した筒状のケースで、下面は下ケース１により閉塞されている。前記ケース１の内部には、蓄電池３、モータ４、回路基板５等が収納されており、前記モータ４は上部に回転力を内歯６に伝達する駆動子７を備えている。８は前記ケース１上部に着脱自在に装着される外歯ホルダーで、外歯９をアーチ状に取り付けている。
【００１４】
前記ケース１前面には、電源スイッチ操作体である第１の操作体１０を取り付ける第１スイッチ取付部１１、及び前記モータ４の回転速度を切り替える第２の操作体１２を取り付ける第２スイッチ取付部１３が形成され、前記第１スイッチ取付部１１及び第２スイッチ取付部１３には、前記回路基板５に装着されるスイッチ１４、１５が臨む第１開口部１６及び第２開口部１７が形成されている。
【００１５】
前記第１スイッチ取付部１１には、第１開口部１６開口縁に環状のリブ１８が形成されており、該環状のリブ１８はケース１外面より少許低く形成されている。１９は前記第１開口部１６下方位置に形成された固定部で、ピン２０が形成されており、該ピン２０により後述する操作体押さえ２５を固定するようになっている。２１は第１開口部１６開口縁に形成されたリブで、前記固定部１９を除いて環状のリブ１８外周を囲繞するように円弧状に形成されている。２２は前記リブ２１の第１の操作体１０に対して両側位置に形成された突起で、後述する飾り板３７の切欠３８が係合して、飾り板３８の位置決めを行うようになっている。
【００１６】
２３は前記第１開口部１６を覆うように装着される変位可能なダイヤフラム状の第１パッキンで、外周に形成された鍔部２４に前記環状のリブ１８を挿入して水密に装着される。
【００１７】
２５は前記第１の操作体１０及び第１パッキン２３を覆うように装着される操作体押さえで、第１の操作体１０の浮き上がりを防止している。２６は前記操作体押さえ２５の第１の操作体１０に対して両側位置及び上側位置に形成された突部で、該突部２６と前記リブ２１とが後述する飾り板３７裏面に当接する高さに形成され、リブ２１により飾り板３７の高さを規制し、飾り板３７により操作体押さえ２５の浮き上がりを防止している。２７は前記操作体押さえ２５に形成された係合部で、前記固定部１９に係合すると共に、固定部１９のピン２０が挿入されて操作体押さえ２５を装着するようになっている。
【００１８】
前記第２スイッチ取付部１３は従来と同一構造であって、前記第２スイッチ取付部１３には、第２開口部１７開口縁に環状のリブ２８が形成されており、該環状のリブ２８はケース１外面より少許低く形成されている。２９は前記第２開口部１７下方位置に形成された固定部で、ピン３０が形成されており、該ピン３０により後述する操作体押さえ２５を固定するようになっている。３１は前記第２開口部１７を覆うように装着される変位可能なダイヤフラム状の第２パッキンで、外周に形成された鍔部３２に前記環状のリブ２８を挿入して水密に装着される。３３は前記第２の操作体１２及び第２パッキン３１を覆うように装着される操作体押さえで、第２の操作体１２の浮き上がりを防止している。３４は前記操作体押さえ３３の第２の操作体１２に対して両側位置及び上側位置に形成された突部で、前記ケース１外面より外側に突出する高さに形成されている。
【００１９】
３５は前記ケース１に形成された表示用開口部で、回路基板５に装着された発光体が臨む位置に形成され、表示体３６が水密に装着されている。
【００２０】
３７は前記第１スイッチ取付部１１及び第２スイッチ取付部１３を覆う飾り板で、第１スイッチ取付部１１のリブ２１上面と操作体押さえ２５の突部２６上面及び第２スイッチ取付部１３の操作体押さえ３３の突部３４上面に当接して飾り板３７を位置決めすると共に、操作体押さえ２５、３３の浮き上がりを防止するようになっている。３８は前記飾り板３７に形成された切欠で、前記リブ２１の突起２２に係合して飾り板３７の位置決めを行うようになっている。
【００２１】
３９は前記飾り板３７を覆うケースカバーで、係合爪４０により前記ケース１に固定され、飾り板３７の位置ずれと浮き上がりを防止するようになっている。
【００２２】
次に、第１スイッチ取付部１１及び第２スイッチ取付部１３の組立について説明する。
【００２３】
第１スイッチ取付部１１において、第１開口部１６に第１パッキン２３を装着し、第１パッキン２３の鍔部２４に環状のリブ１８を挿入し、第１パッキン２３を第１開口部１６に水密に装着する。この時、環状のリブ１８を囲繞するようにリブ２１が形成されているので、第１パッキン２３は鍔部２４が環状のリブ１８に対向する位置に確実に導かれ、第１パッキン２３を確実に装着することができる。また、第１パッキン２３の外周がリブ２１に乗り上げた状態となった場合には、第１パッキン２３が大きく傾くため、正常に装着されていないことを容易に且つ確実に確認することができ、第１パッキン２３の装着ミスを防止することができる。
【００２４】
そして、第１パッキン２３の中央部に第１操作体１０を装着した後、第１操作体１０外周を覆うように操作体押さえ２５を装着する。
【００２５】
一方、第２スイッチ取付部１３において、第２パッキン３１の鍔部３２に環状のリブ２８を挿入し、第２パッキン３１を第２開口部１７に水密に装着する。そして、第２パッキン３１の中央部に第２操作体１２を装着した後、第２操作体１２外周を覆うように操作体押さえ３３を装着する。
【００２６】
そして、飾り板３７を、第１スイッチ取付部１１のリブ２１の突起２２で位置決めして、第１スイッチ取付部１１及び第２スイッチ取付部１３を覆うように装着し、ケースカバー３９を装着する。
【００２７】
上述したように、第１スイッチ取付部１１にリブ２１を形成することにより第１パッキン２３を確実に装着することができ、第１スイッチ取付部１１における水密性を確実にすることができる。水洗いの際等には、特に第１スイッチ取付部１１において確実な水密性を必要とするため、本実施の形態では、第１スイッチ取付部１１にリブ２１を形成している。
【００２８】
尚、本実施の形態では、第１スイッチ取付部１１にのみリブ２１を形成したが、第２スイッチ取付部１３にもリブを形成してもよい。リブ２１は、固定部１９を除いて形成したために円弧状に形成されているが、操作体押さえ２５を他の方法で固定する構成を採用して、環状に形成してもよく、さらに他の変形例を採用してもよい。また、リブ２１は、連続して形成する必要はなく、断続的に形成してもよい。
【図面の簡単な説明】
【００２９】
【図１】本発明の実施の形態を示す断面図である。
【図２】同他の方向からみた断面図である。
【図３】同分解斜視図である。
【図４】同ケースからケースカバー及び飾り板を取り外した状態の分解斜視図である。
【図５】同ケースからケースカバー及び飾り板を取り外した状態の側面図である。
【図６】同外観斜視図である。
【符号の説明】
【００３０】
１    ケース
１０  第１操作体
１１  第１スイッチ取付部
１２  第２操作体
１３  第２スイッチ取付部
１４  スイッチ
１５  スイッチ
１６  第１開口部
１７  第２開口部
１８  環状のリブ
２１  リブ
２３  第１パッキン
２５  操作体押さえ
２６  突部
２８  環状のリブ
３１  第２パッキン
３３  操作体押さえ
３７  飾り板
３９  ケースカバー
【図１】
0004698138.tif 000002
【図２】
0004698138.tif 000003
【図３】
0004698138.tif 000004
【図４】
0004698138.tif 000005
【図５】
0004698138.tif 000006
【図６】
0004698138.tif 000007